(57)【要約】【課題】高温側回路における放熱を適切に行って低温側回路に高い吸熱能力を得ることができる冷凍システムを提供する。【解決手段】高温部１ａの温度が予め定めた上限温度（仕様上の限界温度またはこれよりも僅かに低い温度）まで上昇したことが温度センサ１６で検出されると、コントローラ１７により弁駆動部１１ａへの通電が開始されて三方切替弁１１が補助放熱器１３の冷媒流路１３への冷媒流入を許容するように動作する。これにより、放熱器５で熱を放出した後の冷媒が補助放熱器１３の冷媒流路１３ａに送り込まれ、この冷媒の熱が補助放熱器１３と熱的に接触する蓄冷材１４にさらに奪われて、高温側回路の冷媒からの放熱が十分に行われる。【選択図】  図２
2004309090.tif 000002
【特許請求の範囲】
【請求項１】
高温部と低温部とを備えたスターリング冷凍機と、高温部に設けられた高温側熱交換部と、低温部に設けられた低温側熱交換部と、冷媒流路を有し高温側熱交換部に冷媒管を介して接続された放熱器と、冷媒流路を有し低温側熱交換部に冷媒管を介して接続された吸熱器とを具備し、高温側熱交換部，冷媒管及び放熱器によって高温側回路を構成し、低温側熱交換部，冷媒管及び吸熱器によって低温側回路を構成した冷凍システムであって、
スターリング冷凍機の高温部に設けられた温度検出手段と、
高温側回路を流れる冷媒熱を放出するための補助放熱手段と、
スターリング冷凍機の高温部の温度が設定上限温度まで上昇したときに補助放熱手段による放熱を開始する放熱制御手段とを備える、
ことを特徴とする冷凍システム。
【請求項２】
補助放熱手段は、冷媒流路を有しその入口及び出口を高温側回路の冷媒管に接続された補助放熱器と、高温側回路の冷媒管から補助放熱器への冷媒流入を制御する弁と、補助放熱器と熱的に接触する蓄冷材とを備える、
ことを特徴とする請求項１に記載の冷凍システム。
【請求項３】
補助放熱手段は、蓄冷材を冷却するための冷却器をさらに備える、
ことを特徴とする請求項２に記載の冷凍システム。
【請求項４】
補助放熱手段は、蓄冷材が収納された伝熱性の補助放熱器と、補助放熱器を移動させて高温側回路の冷媒管に熱的に接触させ得る駆動手段とを備える、
ことを特徴とする請求項１に記載の冷凍システム。
【請求項５】
補助放熱手段は、蓄冷材を冷却するための冷却器をさらに備える、
ことを特徴とする請求項４に記載の冷凍システム。
【請求項６】
補助放熱手段は、冷媒流路を有しその入口及び出口を高温側回路の冷媒管に接続され、且つ、吸熱器が配置された貯蔵室内に設置された補助放熱器と、高温側回路の冷媒管から補助放熱器への冷媒流入を制御する弁とを備える、
ことを特徴とする請求項１に記載の冷凍システム。
【請求項７】
補助放熱手段は、冷媒封入の閉じた冷媒流路を有し、且つ、吸熱器が配置された貯蔵室内に設置された補助放熱器と、補助放熱器を移動させて高温側回路の冷媒管に熱的に接触させ得る駆動手段とを備える、
ことを特徴とする請求項１に記載の冷凍システム。
【請求項８】
補助放熱手段は、冷媒封入の閉じた冷媒流路を有し高温側回路の冷媒管に熱的に接触し、且つ、吸熱器が配置された貯蔵室内に設置された補助放熱器と、補助放熱器の冷媒流路内における冷媒循環を制御する弁とを備える、
ことを特徴とする請求項１に記載の冷凍システム。
【発明の詳細な説明】
【０００１】
【発明の属する技術分野】
本発明は、スターリング冷凍機を用いた冷凍システムに関する。
【０００２】
【従来の技術】
図１は、スターリング冷凍機を用いた従来の冷凍システムを示す。スターリング冷凍機１は高温部１ａと低温部１ｂとを備え、高温部１ａには高温側熱交換部２が設けられ、低温部１ｂには低温側熱交換部３が設けられている。また、高温側熱交換部２には冷媒流路を有する放熱器５が冷媒管４を介して接続されていて高温側回路が構成され、一方、低温側熱交換部３には冷媒流路を有する吸熱器７が冷媒管６を介して接続されていて低温側回路が構成されている。
【０００３】
高温側回路と低温側回路のそれぞれにはオゾン層破壊の問題を生じることのない冷媒、例えば二酸化炭素や水等が封入されている。高温側回路の冷媒は高温部１ａにより加熱されて放熱器５に送り込まれ、また、低温側回路の冷媒は低温部１ｂにより冷却されて吸熱器７に送り込まれる。
【０００４】
【特許文献１】
特開２００２−２２１３８４号公報
【０００５】
【発明が解決しようとする課題】
前記の冷凍システムは冷却機能を備える貯蔵機器、例えばショーケースや自動販売機や冷蔵庫や冷凍庫等に利用され、吸熱器７で生じる吸熱作用によって貯蔵室内の物品の冷却を行う。
【０００６】
貯蔵室内の熱負荷が高い状態、例えば物品の入れ替え及び補充の直後や夏期の昼間の時間帯等ではスターリング冷凍機１を通常より高い能力で運転させる必要がある。しかし、このときにはスターリング冷凍機自体の特性として高温部１ａの温度が仕様上の限界温度或いはこれに近い温度まで上昇するため、その発生熱を放熱器５で十分に放出することが難しく、結果的に吸熱能力が低下して所期の物品冷却を行うことが困難となる。
【０００７】
本発明は前記事情に鑑みて創作されたもので、その目的とするところは、高温側回路における放熱を適切に行って低温側回路に高い吸熱能力を得ることができる冷凍システムを提供することにある。
【０００８】
【課題を解決するための手段】
前記目的を達成するため、本発明は、高温部と低温部とを備えたスターリング冷凍機と、高温部に設けられた高温側熱交換部と、低温部に設けられた低温側熱交換部と、冷媒流路を有し高温側熱交換部に冷媒管を介して接続された放熱器と、冷媒流路を有し低温側熱交換部に冷媒管を介して接続された吸熱器とを具備し、高温側熱交換部，冷媒管及び放熱器によって高温側回路を構成し、低温側熱交換部，冷媒管及び吸熱器によって低温側回路を構成した冷凍システムであって、スターリング冷凍機の高温部に設けられた温度検出手段と、高温側回路を流れる冷媒熱を放出するための補助放熱手段と、スターリング冷凍機の高温部の温度が設定上限温度まで上昇したときに補助放熱手段による放熱を開始する放熱制御手段とを備える、ことをその特徴とする。
【０００９】
この冷凍システムを利用して貯蔵室内の物品の冷却を行うときに、物品の入れ替え及び補充の直後や夏期の昼間の時間帯等において貯蔵室内の熱負荷が高くなって高温部の温度が予め定めた上限温度まで上昇すると、補助放熱手段による放熱を開始されて高温側回路を流れる冷媒熱の放出が放熱器と補助放熱手段の両方によって行われ、高温側回路における放熱を適切に行われて低温側回路に高い吸熱能力が得られる。
【００１０】
本発明の前記目的とそれ以外の目的と、構成特徴と、作用効果は、以下の説明と添付図面によって明らかとなる。
【００１１】
【発明の実施の形態】
［第１実施形態］
図２は本発明の第１実施形態に係る冷凍システムを示すもので、図１に示した冷凍システムと異なるところは、
（１）  電磁式の弁駆動部１１ａを有する三方切替弁１１の２つのポートを高温側回路の冷媒管４に介装した点
（２）  冷媒流路１３ａを有する補助放熱器１３の入口を冷媒管１２を介して三方切替弁１１の残りのポートに接続し、出口を冷媒管１２を介して冷媒管４の三方切替弁取付位置よりも下流側に接続した点
（３）  蓄冷材１４を補助放熱器１３に熱的に接触させた点
（４）  蓄冷材冷却用のペルチェ素子１５の冷却側を蓄冷材１４に熱的に接触させた点
（５）  サーミスタ等の温度センサ１６をスターリング冷凍機１の高温部１ａに設けた点
（６）  温度センサ１６の検出信号に基づいて弁駆動部１１ａの動作を制御すると共にペルチェ素子１５の動作を制御するコントローラ１７を設けた点
にある。
【００１２】
因みに、三方切替弁１１は通常は冷媒管４から冷媒管１２（補助放熱器１３の冷媒流路１３ａ）への冷媒流入を阻止し、コントローラ１７による弁駆動部１１ａへの通電によって冷媒管４から冷媒管１２（補助放熱器１３の冷媒流路１３ａ）への冷媒流入を許容するように動作する。また、ペルチェ素子１５は蓄冷材１４が所定の冷却温度に維持されるようにコントローラ１７によって動作制御される。
【００１３】
この冷却システムは冷却機能を備える貯蔵機器、例えばショーケースや自動販売機や冷蔵庫や冷凍庫等に利用され、吸熱器７で生じる吸熱作用によって貯蔵室１８内の物品の冷却を行う。
【００１４】
高温側回路と低温側回路のそれぞれにはオゾン層破壊の問題を生じることのない冷媒、例えば二酸化炭素やブラインや水等が封入されており、貯蔵室１８内の物品の冷却を行うときには、高温側回路の冷媒は高温部１ａにより加熱されて放熱器５に送り込まれ、また、低温側回路の冷媒は低温部１ｂにより冷却されて吸熱器７に送り込まれる。
【００１５】
貯蔵室１８内の物品を冷却しているときに、物品の入れ替え及び補充の直後や夏期の昼間の時間帯等において貯蔵室１８内の熱負荷が高くなると、放熱器５の放熱能力不足を原因として高温部１ａの温度が上昇する。
【００１６】
高温部１ａの温度が予め定めた上限温度（仕様上の限界温度またはこれよりも僅かに低い温度）まで上昇したことが温度センサ１６で検出されると、コントローラ１７により弁駆動部１１ａへの通電が開始されて三方切替弁１１が前記のように動作する。
【００１７】
これにより、放熱器５で熱を放出した後の冷媒が補助放熱器１３の冷媒流路１３ａに送り込まれ、この冷媒の熱が補助放熱器１３と熱的に接触する蓄冷材１４にさらに奪われて、高温側回路の冷媒からの放熱が十分に行われる。
【００１８】
つまり、前述の冷凍システムによれば、物品冷却時にスターリング冷凍機１の高温部１ａの温度が設定上限温度まで上昇した場合でも、放熱器５で熱を放出した後の冷媒を補助放熱器１３に送り込んでその熱を蓄冷材１４で奪うことができるので、高温側回路における放熱を適切に行って低温側回路に高い吸熱能力を得ることができる。
【００１９】
尚、前述の三方切替弁１１は同様の流路切り替えが可能な他の弁で代用してもよい。また、ペルチェ素子１５は蓄冷材１４の冷却が行える他の冷却器で代用してもよく、蓄冷材１４を必要に応じて交換できるようにすればペルチェ素子１５等の冷却器は必ずしも必要なものではない。
【００２０】
［第２実施形態］
図３は本発明の第２実施形態に係る冷凍システムを示すもので、図１に示した冷凍システムと異なるところは、
（１）  伝熱性ケースから成る補助放熱器２１に蓄冷材２２を収納した点
（２）  蓄冷材冷却用のペルチェ素子２３の冷却側を蓄冷材２２に熱的に接触させた点
（３）  補助放熱器２１を復帰バネ２５の付勢力に抗し引き込んで高温側回路の冷媒管４に熱的に接触させるためのソレノイド２４を設けた点
（４）  サーミスタ等の温度センサ２６をスターリング冷凍機１の高温部１ａに設けた点
（５）  温度センサ２６の検出信号に基づいてソレノイド２４の動作を制御すると共にペルチェ素子２３の動作を制御するコントローラ２７を設けた点
にある。
【００２１】
因みに、ペルチェ素子２３は蓄冷材２２が所定の冷却温度に維持されるようにコントローラ２７によって動作制御される。また、復帰バネ２５は通常に補助放熱器２１と冷媒管４との間に所定の隙間が開くように補助放熱器２１を付勢しており、ソレノイド２２はコントローラ２７による通電によって補助放熱器２１が冷媒管４と熱的に接触するように補助放熱器２１を移動させる。図面では冷媒管４の補助放熱器２１が熱的に接触し得る部分を蛇行させたものを便宜上示してあるが、この蛇行部分は直線状であっても構わない。
【００２２】
この冷却システムは冷却機能を備える貯蔵機器、例えばショーケースや自動販売機や冷蔵庫や冷凍庫等に利用され、吸熱器７で生じる吸熱作用によって貯蔵室２８内の物品の冷却を行う。
【００２３】
高温側回路と低温側回路のそれぞれにはオゾン層破壊の問題を生じることのない冷媒、例えば二酸化炭素やブラインや水等が封入されており、貯蔵室２８内の物品の冷却を行うときには、高温側回路の冷媒は高温部１ａにより加熱されて放熱器５に送り込まれ、また、低温側回路の冷媒は低温部１ｂにより冷却されて吸熱器７に送り込まれる。
【００２４】
貯蔵室２８内の物品を冷却しているときに、物品の入れ替え及び補充の直後や夏期の昼間の時間帯等において貯蔵室２８内の熱負荷が高くなると、放熱器５の放熱能力不足を原因として高温部１ａの温度が上昇する。
【００２５】
高温部１ａの温度が予め定めた上限温度（仕様上の限界温度またはこれよりも僅かに低い温度）まで上昇したことが温度センサ２６で検出されると、コントローラ２７によりソレノイド２４への通電が開始されて補助放熱器２１が冷媒管４に向かって移動して熱的に接触する。
【００２６】
これにより、放熱器５で熱を放出した後の冷媒の熱が補助放熱器２１内の蓄冷材２２にさらに奪われて、高温側回路の冷媒からの放熱が十分に行われる。
【００２７】
つまり、前述の冷凍システムによれば、物品冷却時にスターリング冷凍機１の高温部１ａの温度が設定上限温度まで上昇した場合でも、放熱器５で熱を放出した後の冷媒の熱を蓄冷材２２で奪うことができるので、高温側回路における放熱を適切に行って低温側回路に高い吸熱能力を得ることができる。
【００２８】
尚、前述のソレノイド２４は同様の駆動が可能な他のアクチュエータで代用してもよい。また、ペルチェ素子２３は蓄冷材２２の冷却が行える他の冷却器で代用してもよく、蓄冷材２２を必要に応じて交換できるようにすればペルチェ素子２３等の冷却器は必ずしも必要なものではない。
【００２９】
［第３実施形態］
図４は本発明の第３実施形態に係る冷凍システムを示すもので、図１に示した冷凍システムと異なるところは、
（１）  電磁式の弁駆動部３１ａを有する三方切替弁３１の２つのポートを高温側回路の冷媒管４に介装した点
（２）  冷媒流路３３ａを有する補助放熱器３３の入口を冷媒管３２を介して三方切替弁３１の残りのポートに接続し、出口を冷媒管３２を介して冷媒管４の三方切替弁取付位置よりも下流側に接続した点
（３）  サーミスタ等の温度センサ３４をスターリング冷凍機１の高温部１ａに設けた点
（４）  温度センサ３４の検出信号に基づいて弁駆動部３１ａの動作を制御するコントローラ３５を設けた点
（５）  補助放熱器３３を低温側回路の吸熱器７が配置された貯蔵室３６内に設置した点
にある。
【００３０】
因みに、三方切替弁３１は通常は冷媒管４から冷媒管３２（補助放熱器３３の冷媒流路３３ａ）への冷媒流入を阻止し、コントローラ３５による弁駆動部３１ａへの通電によって冷媒管４から冷媒管３２（補助放熱器３３の冷媒流路３３ａ）への冷媒流入を許容するように動作する。
【００３１】
この冷却システムは冷却機能を備える貯蔵機器、例えばショーケースや自動販売機や冷蔵庫や冷凍庫等に利用され、吸熱器７で生じる吸熱作用によって貯蔵室３６内の物品の冷却を行う。
【００３２】
高温側回路と低温側回路のそれぞれにはオゾン層破壊の問題を生じることのない冷媒、例えば二酸化炭素やブラインや水等が封入されており、貯蔵室３６内の物品の冷却を行うときには、高温側回路の冷媒は高温部１ａにより加熱されて放熱器５に送り込まれ、また、低温側回路の冷媒は低温部１ｂにより冷却されて吸熱器７に送り込まれる。
【００３３】
貯蔵室３６内の物品を冷却しているときに、物品の入れ替え及び補充の直後や夏期の昼間の時間帯等において貯蔵室３６内の熱負荷が高くなると、放熱器５の放熱能力不足を原因として高温部１ａの温度が上昇する。
【００３４】
高温部１ａの温度が予め定めた上限温度（仕様上の限界温度またはこれよりも僅かに低い温度）まで上昇したことが温度センサ３４で検出されると、コントローラ３５により弁駆動部３１ａへの通電が開始されて三方切替弁３１が前記のように動作する。
【００３５】
これにより、放熱器５で熱を放出した後の冷媒が補助放熱器３３の冷媒流路１３ａに送り込まれ、この冷媒の熱が冷却中の貯蔵室３６内に放出されて、高温側回路の冷媒からの放熱が十分に行われる。
【００３６】
高温側回路の冷媒からの放熱は主として放熱器５で行われ、補助放熱器３３から貯蔵室３６内に放出される熱量はさほど大きなものではないので、補助放熱器３３からの放熱によって貯蔵室３６内の温度が大きく変化することはなく、同変化は吸熱器７における吸熱作用によって十分に吸収できる。
【００３７】
つまり、前述の冷凍システムによれば、物品冷却時にスターリング冷凍機１の高温部１ａの温度が設定上限温度まで上昇した場合でも、放熱器５で熱を放出した後の冷媒を補助放熱器３３に送り込んでその熱を貯蔵室３６内に放出することができるので、高温側回路における放熱を適切に行って低温側回路に高い吸熱能力を得ることができる。
【００３８】
尚、前述の三方切替弁３１は同様の流路切り替えが可能な他の弁で代用してもよい。
【００３９】
［第４実施形態］
図５は本発明の第４実施形態に係る冷凍システムを示すもので、図１に示した冷凍システムと異なるところは、
（１）  冷媒封入の閉じた冷媒流路４１ａを有する補助放熱器４１を設けた点
（２）  補助放熱器４１を復帰バネ４３の付勢力に抗し引き込んで高温側回路の冷媒管４に熱的に接触させるためのソレノイド４２を設けた点
（３）  サーミスタ等の温度センサ４４をスターリング冷凍機１の高温部１ａに設けた点
（４）  温度センサ４４の検出信号に基づいてソレノイド４２の動作を制御するコントローラ４５を設けた点
（５）  補助放熱器４１を低温側回路の吸熱器７が配置された貯蔵室４６内に設置した点
にある。
【００４０】
因みに、復帰バネ４３は通常に補助放熱器４１と冷媒管４との間に所定の隙間が開くように補助放熱器４１を付勢しており、ソレノイド４２はコントローラ４５による通電によって補助放熱器４１が冷媒管４が熱的に接触するように補助放熱器４１を移動させる。図面では冷媒管４の補助放熱器４１が接触し得る部分を蛇行させたものを便宜上示してあるが、この蛇行部分は直線状であっても構わない。
【００４１】
この冷却システムは冷却機能を備える貯蔵機器、例えばショーケースや自動販売機や冷蔵庫や冷凍庫等に利用され、吸熱器７で生じる吸熱作用によって貯蔵室４６内の物品の冷却を行う。
【００４２】
高温側回路と低温側回路と補助放熱器４１の閉じた冷媒流路４１ａ内のそれぞれにはオゾン層破壊の問題を生じることのない冷媒、例えば二酸化炭素やブラインや水等が封入されており、貯蔵室４６内の物品の冷却を行うときには、高温側回路の冷媒は高温部１ａにより加熱されて放熱器５に送り込まれ、また、低温側回路の冷媒は低温部１ｂにより冷却されて吸熱器７に送り込まれる。
【００４３】
貯蔵室４６内の物品を冷却しているときに、物品の入れ替え及び補充の直後や夏期の昼間の時間帯等において貯蔵室４６内の熱負荷が高くなると、放熱器５の放熱能力不足を原因として高温部１ａの温度が上昇する。
【００４４】
高温部１ａの温度が予め定めた上限温度（仕様上の限界温度またはこれよりも僅かに低い温度）まで上昇したことが温度センサ４４で検出されると、コントローラ４５によりソレノイド４２への通電が開始されて補助放熱器４１が冷媒管４に向かって移動して熱的に接触する。
【００４５】
これにより、放熱器５で熱を放出した後の冷媒の熱が補助放熱器４１の冷媒流路４１ａ内の冷媒に伝達され、この冷媒の熱が冷却中の貯蔵室４６内に放出されて、高温側回路の冷媒からの放熱が十分に行われる。
【００４６】
高温側回路の冷媒からの放熱は主として放熱器５で行われ、補助放熱器４１から貯蔵室４６内に放出される熱量はさほど大きなものではないので、補助放熱器４１からの放熱によって貯蔵室４６内の温度が大きく変化することはなく、同変化は吸熱器７における吸熱作用によって十分に吸収できる。
【００４７】
つまり、前述の冷凍システムによれば、物品冷却時にスターリング冷凍機１の高温部１ａの温度が設定上限温度まで上昇した場合でも、放熱器５で熱を放出した後の冷媒の熱を補助放熱器４１の冷媒に伝えてその熱を貯蔵室４６内に放出することができるので、高温側回路における放熱を適切に行って低温側回路に高い吸熱能力を得ることができる。
【００４８】
尚、前述のソレノイド４２は同様の駆動が可能な他のアクチュエータで代用してもよい。
【００４９】
［第５実施形態］
図６は本発明の第５実施形態に係る冷凍システムを示すもので、図１に示した冷凍システムと異なるところは、
（１）  冷媒封入の閉じた冷媒流路５１ａを有する補助放熱器５１を設けた点
（２）  補助放熱器５１と冷媒管４との間で熱交換を行うための伝熱性部材５２を設けた点
（３）  電磁式の弁駆動部５３ａを有する開閉弁５３を補助放熱器５１の冷媒流路５１ａに介装した点
（４）  サーミスタ等の温度センサ５４をスターリング冷凍機１の高温部１ａに設けた点
（５）  温度センサ５４の検出信号に基づいて弁駆動部５３ａの動作を制御するコントローラ５５を設けた点
（６）  補助放熱器５１を低温側回路の吸熱器７が配置された貯蔵室５６内に設置した点
にある。
【００５０】
因みに、開閉弁５３は通常は閉じていて、コントローラ５５による弁駆動部５３ａへの通電によって開放する。
【００５１】
この冷却システムは冷却機能を備える貯蔵機器、例えばショーケースや自動販売機や冷蔵庫や冷凍庫等に利用され、吸熱器７で生じる吸熱作用によって貯蔵室５６内の物品の冷却を行う。
【００５２】
高温側回路と低温側回路と補助放熱器５１の閉じた冷媒流路５１ａ内のそれぞれにはオゾン層破壊の問題を生じることのない冷媒、例えば二酸化炭素やブラインや水等が封入されており、貯蔵室５６内の物品の冷却を行うときには、高温側回路の冷媒は高温部１ａにより加熱されて放熱器５に送り込まれ、また、低温側回路の冷媒は低温部１ｂにより冷却されて吸熱器７に送り込まれる。
【００５３】
貯蔵室５６内の物品を冷却しているときに、物品の入れ替え及び補充の直後や夏期の昼間の時間帯等において貯蔵室５６内の熱負荷が高くなると、放熱器５の放熱能力不足を原因として高温部１ａの温度が上昇する。
【００５４】
高温部１ａの温度が予め定めた上限温度（仕様上の限界温度またはこれよりも僅かに低い温度）まで上昇したことが温度センサ５４で検出されると、コントローラ５５により弁駆動部５３ａへの通電が開始されて開閉弁５３が前記のように動作する。
【００５５】
これにより、放熱器５で熱を放出した後の冷媒の熱が伝熱性部材５２を通じて補助放熱器５１の冷媒流路５１ａの冷媒に伝達され、この冷媒の熱が冷却中の貯蔵室５６内に放出されて、高温側回路の冷媒からの放熱が十分に行われる。
【００５６】
高温側回路の冷媒からの放熱は主として放熱器５で行われ、補助放熱器５１から貯蔵室５６内に放出される熱量はさほど大きなものではないので、補助放熱器５１からの放熱によって貯蔵室５６内の温度が大きく変化することはなく、同変化は吸熱器７における吸熱作用によって十分に吸収できる。
【００５７】
つまり、前述の冷凍システムによれば、物品冷却時にスターリング冷凍機１の高温部１ａの温度が設定上限温度まで上昇した場合でも、放熱器５で熱を放出した後の冷媒の熱を補助放熱器５１内の冷媒に伝えてその熱を貯蔵室５６内に放出することができるので、高温側回路における放熱を適切に行って低温側回路に高い吸熱能力を得ることができる。
【００５８】
尚、前述の開閉弁５３は同様の流路開閉が行える他の弁で代用してもよい。
【００５９】
【発明の効果】
以上詳述したように、本発明によれば、高温側回路における放熱を適切に行って低温側回路に高い吸熱能力を得ることができる。
【図面の簡単な説明】
【図１】従来の冷凍システムを示す図
【図２】本発明の第１実施形態に係る冷凍システムを示す図
【図３】本発明の第２実施形態に係る冷凍システムを示す図
【図４】本発明の第３実施形態に係る冷凍システムを示す図
【図５】本発明の第４実施形態に係る冷凍システムを示す図
【図６】本発明の第５実施形態に係る冷凍システムを示す図
【符号の説明】
１…スターリング冷凍機、１ａ…高温部、１ｂ…低温部、２…高温側熱交換部、３…低温側熱交換部、４…冷媒管、５…放熱器、６…冷媒管、７…吸熱器、１１…三方切替弁、１１ａ…弁駆動部、１２…冷媒管、１３…補助放熱器、１３ａ…冷媒流路、１４…蓄冷材、１５…ペルチェ素子、１６…温度センサ、１７…コントローラ、１８…貯蔵室、２１…補助放熱器、２２…蓄冷材、２３…ペルチェ素子、２４…ソレノイド、２５…復帰バネ、２６…温度センサ、２７…コントローラ、２８…貯蔵室、３１…三方切替弁、３１ａ…弁駆動部、３２…冷媒管、３３…補助放熱器、３３ａ…冷媒流路、３４…温度センサ、３５…コントローラ、３６…貯蔵室、４１…補助放熱器、４１ａ…冷媒流路、４２…ソレノイド、４３…復帰バネ、４４…温度センサ、４５…コントローラ、４６…貯蔵室、５１…補助放熱器、５１ａ…冷媒流路、５２…伝熱性部材、５３…開閉弁、５３ａ…弁駆動部、５４…温度センサ、５５…コントローラ、５６…貯蔵室。
【図１】
2004309090.tif 000003
【図２】
2004309090.tif 000004
【図３】
2004309090.tif 000005
【図４】
2004309090.tif 000006
【図５】
2004309090.tif 000007
【図６】
2004309090.tif 000008